(57)【要約】【課題】消費電力が少なく、施工コストも低い凍結防止及び融雪方法を提供すること。【解決手段】ＬＥＤテープ１２のＬＥＤチップ１２ａの列が点灯に伴って発熱し、その熱が道路１０の表面に熱伝導し、道路１０の表面の凍結が防止され、あるいは融雪される。発熱体として消費電力の少なく、量産に適したＬＥＤテープ１２を使用するので、低コストで凍結防止及び融雪方法を実施できる。溝１１にＬＥＤテープ１２を埋設し、シリコン樹脂１３を充填して固化し、道路１０の表面を平坦にするので、人や車両の通行の妨げにならず、また、通行する人の靴や車両のタイヤで削られるおそれもなく耐久性に優れている。また、凍結防止対象物が光ることで通電状態がわかり、センサーの動作も確認できる。路面の上に雪や氷がついても光は透過して見えるので安心である。【選択図】図１
2020020199.tif 000002
【特許請求の範囲】
【請求項１】
複数個のＬＥＤチップを並べて形成したＬＥＤチップの列を透光性の樹脂で被覆して防水性を付与した発熱体を備え、凍結防止対象物の表面に溝又は凹部を形成し、該溝又は凹部に前記発熱体を埋入し、発熱体の熱を前記表面に熱伝導させることを特徴とする凍結防止及び融雪方法。
【請求項２】
前記発熱体として、ＬＥＤテープ又はＬＥＤストリングライトを使用することを特徴とする請求項１に記載の凍結防止及び融雪方法。
【請求項３】
前記ＬＥＤチップの列を放熱板上に形成し、ＬＥＤチップの列と放熱板を透光性の樹脂で被覆したことを特徴とする請求項１に記載の凍結防止及び融雪方法。
【請求項４】
前記ＬＥＤチップの列を透光性の樹脂で被覆するとともに、被覆した樹脂を棒状に固化したことを特徴とする請求項１に記載の凍結防止及び融雪方法。
【請求項５】
前記発熱体を埋入した前記溝又は凹部に樹脂を充填して固化させ、凍結防止対象物の表面を平坦にしたことを特徴とする請求項１に記載の凍結防止及び融雪方法。
【請求項６】
前記ＬＥＤチップの列に電力を供給し、ＬＥＤチップの列の点灯を制御する電源供給回路を前記溝又は凹部に埋入したことを特徴とする請求項１に記載の凍結防止及び融雪方法。
【請求項７】
前記凍結防止対象物が、路面、屋根材、外壁材、踏み板、手すりのいずれかであることを特徴とする請求項１に記載の凍結防止及び融雪方法。
【発明の詳細な説明】
【技術分野】
【０００１】
本発明は路面、屋根、外壁、ベランダやテラス、玄関先の階段等、各種凍結防止対象物の凍結防止及び融雪方法に関する。
【背景技術】
【０００２】
例えば特開２０１６−６１０４３号公報に開示されているように、寒冷地では路面の凍結防止及び融雪のため、ヒータ電線を道路に埋設している。
また、実用新案登録第３１１００５４号公報に開示されているように、ベランダや玄関先の階段の凍結防止及び融雪のためヒータ電線を内部に備えたシートを踏み板に敷設している。
【先行技術文献】
【特許文献】
【０００３】
【特許文献１】特開２０１６−６１０４３号公報
【特許文献２】実用新案登録第３１１００５４号公報
【発明の概要】
【発明が解決しようとする課題】
【０００４】
上記した従来の凍結防止及び融雪方法は、いずれも発熱源として消費電力の大きいヒータ電線を使用しているので、凍結防止のためランニングコストが嵩む。
また、ヒータ電線を道路に埋設するには道路を掘り返す大掛かりな工事が不可欠であり、施工に時間とコストが掛かるので既存の道路の凍結防止には不向きである。
【０００５】
本発明は上記した問題点に鑑み、消費電力が少なく、施工コストも低い凍結防止及び融雪方法を提供することを目的とする。
【課題を解決するための手段】
【０００６】
請求項１に記載の凍結防止及び融雪方法は、
複数個のＬＥＤチップを並べて形成したＬＥＤチップの列を透光性の樹脂で被覆して防水性を付与した発熱体を備え、凍結防止対象物の表面に溝又は凹部を形成し、該溝又は凹部に前記発熱体を埋入し、発熱体の熱を前記表面に熱伝導させることを特徴とする。
【０００７】
請求項２に記載の発明は、請求項１に記載の凍結防止及び融雪方法において、
前記発熱体として、ＬＥＤテープ又はＬＥＤストリングライトを使用することを特徴とする。
【０００８】
請求項３に記載の発明は、請求項１に記載の凍結防止及び融雪方法において、
前記ＬＥＤチップの列を放熱板上に形成し、ＬＥＤチップの列と放熱板を透光性の樹脂で被覆したことを特徴とする。
【０００９】
請求項４に記載の発明は、請求項１に記載の凍結防止及び融雪方法において、
前記ＬＥＤチップの列を透光性の樹脂で被覆するとともに、被覆した樹脂を棒状に固化したことを特徴とする。
【００１０】
請求項５に記載の発明は、請求項１に記載の凍結防止及び融雪方法において、
前記発熱体を埋入した前記溝又は凹部に樹脂を充填して固化させ、凍結防止対象物の表面を平坦にしたことを特徴とする。
【００１１】
請求項６に記載の発明は、請求項１に記載の凍結防止及び融雪方法において、
前記ＬＥＤチップの列に電力を供給し、ＬＥＤチップの列の点灯を制御する電源供給回路を前記溝又は凹部に埋入したことを特徴とする。
【００１２】
請求項７に記載の発明は、請求項１に記載の凍結防止及び融雪方法において、
前記凍結防止対象物が、路面、屋根材、外壁材、踏み板、手すりのいずれかであることを特徴とする。
【発明の効果】
【００１３】
請求項１に記載の発明によれば、発熱源として消費電力の少ないＬＥＤチップの列を使用するので、低コストで凍結防止及び融雪方法を実施できる。
凍結防止対象物の表面に形成した溝又は凹部にＬＥＤチップの列を埋入するので、表面に出っ張りがない。そのため、ベランダ、テラス、玄関先の階段等の踏み板や手すりに適用できる。また、通行する人の靴や車両のタイヤで削られることがないので、道路に適用できる。道路に適用した場合、道路表面に細長い溝又は凹部を形成してＬＥＤチップの列を埋入するだけで凍結防止及び融雪方法を実施でき、大掛かりな道路改修を必要としない。そのため、低コストで既存の道路に凍結防止機能をもたせることができる。
【００１４】
さらにまた、溝から漏れ出るＬＥＤチップの列の光でベランダ、テラス、階段、道路等の凍結防止対象物が凍結防止中であることを視認できる。
とくに、ＬＥＤチップの列の光を暖色系にすれば、凍結防止効果を見る人に訴えることができる。
また、ＬＥＤチップの列は直流電源で作動するので、漏電や感電のおそれがなく安全性に優れている。
【００１５】
請求項２に記載の発明によれば、店舗や庭園等の電飾に広く用いられ、量産に適したＬＥＤテープ又はＬＥＤストリングライトを発熱源として使用するので、低コストで凍結防止及び融雪方法を実施できる。
【００１６】
請求項３に記載の発明によれば、ＬＥＤチップの列を放熱板の上に形成し、樹脂で被覆するので、ＬＥＤチップの列の発熱をより効果的に凍結防止対象物に熱伝導できる。
【００１７】
請求項４に記載の発明によれば、ＬＥＤチップの列を樹脂で被覆し、固化して棒材に成形するので、溝への埋入作業がし易くなる。
【００１８】
請求項５に記載の発明によれば、溝に樹脂を充填して固化し、凍結防止対象物の表面を平坦にするので、道路、踏み板、手すり等に適用した場合、凍結防止対象物の機能が損なわれない。
【００１９】
請求項６に記載の発明によれば、ＬＥＤチップの列の発熱に加えて、電源供給回路の発熱を凍結防止に利用できる。
【図面の簡単な説明】
【００２０】
【図１】本発明の第１実施例に係る凍結防止及び融雪方法を適用した道路を示す説明図である。
【図２】同凍結防止及び融雪方法に使用したＬＥＤテープを示す説明図である。
【図３】図２の３-３線から切断した断面図である。
【図４】本発明の第１実施例に係る凍結防止及び融雪方法を適用した他の道路を示す説明図である。
【図５】本発明の第１実施例に係る凍結防止及び融雪方法を適用した他の道路を示す説明図である。
【図６】本発明の第２実施例に係る凍結防止及び融雪方法を適用したＵ字溝を示す説明図である。
【図７】本発明の第３実施例に係る凍結防止及び融雪方法を適用した融雪穴を示す説明図である。
【図８】本発明の第４実施例〜第６実施例に係る凍結防止及び融雪方法を適用した木造家屋を示す説明図である。
【図９】本発明の第４実施例に係る凍結防止及び融雪方法を適用した踏み板を示す説明図である。
【図１０】同踏み板を示す部分拡大断面図である。
【図１１】本発明の第５実施例に係る凍結防止及び融雪方法を適用した手すりを示す説明図である。
【図１２】本発明の第６実施例に係る凍結防止及び融雪方法を適用した壁板を示す説明図である。
【図１３】ＬＥＤストリングライトを示す説明図である。
【実施例１】
【００２１】
以下に本発明を図面に基づき説明する。図１には本発明の第１実施例に係る凍結防止及び融雪方法が示されている。第１実施例は本発明を道路１０に適用したものであり、道路１０の表面には適宜間隔で道路を横断する溝１１が形成されている。各溝１１は長方形の断面形状を有し、内部に発熱体としてＬＥＤテープ１２が敷設されている。そして、道路１０の表面を平坦にするため各溝１１に透光性のシリコン樹脂１３を充填して、固化している。
【００２２】
図２及び図３に示すように、ＬＥＤテープ１２は複数個のＬＥＤチップ１２ａを実装したフレキシブルプリント配線基板１２ｂを備えている。複数個のＬＥＤチップ１２ａは、フレキシブルプリント配線基板１２ｂの長手方向に沿って配置され、一列のＬＥＤチップ１２ａの列を形成している。家庭用の交流電源を直流に変換し、各ＬＥＤチップ１２ａに所要の電力を供給し、ＬＥＤチップ１２ａの点灯を制御する電源回路１２ｃが電源コード１２ｄを介してフレキシブルプリント配線基板１２ｂに接続されている。
【００２３】
フレキシブルプリント配線基板１２ｂの表裏両面は、同基板１２ｂに実装されたＬＥＤチップ１２ａを含めて熱可塑性の透明な軟質ポリ塩化ビニル樹脂１２ｅで被覆されている。この樹脂１２ｅは、電源コード１２ｄとフレキシブルプリント配線基板１２ｂとの接続部分、すなわち、電源コード１２ｄの先端部分のビニル絶縁体から露出した電線１２ｆがフレキシブルプリント配線基板１２ｂのプリント配線１２ｇに半田付けされている部分１２ｈも被覆している。
【００２４】
電源コード１２ｄは元来防水性を有し、またフレキシブルプリント配線基板１２ｂとＬＥＤチップ１２ａの列が、同基板１２ｂと電源コード１２ｄとの接続部分を含めて樹脂１２ｅで被覆されているので、ＬＥＤテープ１２は防水性を有する。
【００２５】
第１実施例に係る凍結防止及び融雪方法の構成は以上の通りであって、ＬＥＤテープ１２のＬＥＤチップ１２ａの列が点灯に伴って発熱し、その熱が道路１０の表面に熱伝導し、道路１０の表面の凍結が防止され、あるいは融雪される。
しかして、本実施例によれば、発熱体として消費電力の少なく、量産に適したＬＥＤテープ１２を使用するので、低コストで凍結防止及び融雪方法を実施できる。
【００２６】
溝１１にＬＥＤテープ１２を埋設し、シリコン樹脂１３を充填して固化し、道路１０の表面を平坦にしたので、人や車両の通行の妨げにならず、また、通行する人の靴や車両のタイヤで削られるおそれもなく耐久性に優れている。
【００２７】
道路１０の表面に細長い溝１１を形成してＬＥＤテープ１２を埋入するだけで凍結防止及び融雪方法を実施でき、大掛かりな道路１０の改修を必要としない。そのため、低コストで既存の道路１０に凍結防止機能をもたせることができる。
【００２８】
ＬＥＤテープ１２の被覆材１２ｅ及び溝１１に充填したシリコン樹脂１３がいずれも透光性を有するので、溝１１から漏れ出るＬＥＤテープ１２の光で道路１０が凍結防止中であることを視認できる。とくに、ＬＥＤテープ１２の光を暖色系にすれば、凍結防止効果を見る人に訴えることができる。また、ＬＥＤテープ１２は直流電源で作動するので、漏電や感電のおそれがなく安全性に優れている。
【００２９】
図１に示した第１実施例では、道路１０に断面形状が長方形の溝１１を形成したが、溝１１の断面形状はこれに限定されるものではなく、図４に示すように半円形の溝１１Ａであったり、図５に示す逆三角形の溝１１Ｂであったり、適宜の断面形状を採用できる。
【実施例２】
【００３０】
本発明の第２実施例に係る凍結防止及び融雪方法を図６に示す。第２実施例は本発明をＵ字溝２０に適用したものである。本実施例では、基板１２ｂにＬＥＤチップ１２ａの列を形成し、基板１２ｂとＬＥＤチップ１２ａの列を透光性のシリコン樹脂１３で被覆し、棒状に固化したものをＵ字溝２０に敷設している。
【００３１】
本実施例によれば、シリコン樹脂１３を棒状に固化したものを発熱体として使用するので、Ｕ字溝２０への敷設作業がし易くなる。
【実施例３】
【００３２】
本発明の第３実施例に係る凍結防止及び融雪方法を図７に示す。第３実施例は本発明を融雪穴３０に適用したものである。地面３１に土管３２を埋設し、土管３２の上面開口にネット３３を被せた融雪穴３０に発熱体としてＬＥＤテープ１２の巻物が収納されている。
本実施例によれば、ネット３３上の雪をＬＥＤテープ１２の点灯時の熱で融雪できる。
【実施例４】
【００３３】
本発明の第４実施例に係る凍結防止及び融雪方法を図８に示す。第４実施例は本発明を木造家屋４０の階段４１の踏み板４２に適用したものである。図９に示すように、踏み板４２の表面には溝４３が形成され、発熱体として棒材４４が溝４３に埋設されている。図１０に拡大して示すように、この棒材４４はアルミ板４５に基板１２ｂが貼り付けられ、基板１２ｂにＬＥＤチップ１２ａの列が形成されている。そして、アルミ板４５と基板１２ｂ及びＬＥＤチップ１２ａの列が透光性のシリコン樹脂４６で被覆され、シリコン樹脂４６を固化して棒材４４に形成されている。この棒材４４は透光性の接着剤４７で溝４３の内部に固定されている。
【００３４】
本実施例によれば、階段４１の踏み板４２の凍結を防止できるとともに、夜間に溝４３から漏れ出るＬＥＤチップ１２ａの列の光で、踏み板４２の位置を視認できるので、安全に階段４１を上り下りできる。
とりわけ、本実施例ではアルミ板４５の上にＬＥＤチップ１２ａの列を形成したので、ＬＥＤチップ１２ａの発熱をより効果的に踏み板４２に熱伝導できる。
本実施例は、階段の踏み板４２の他、ベランダ４８の踏み板や屋根板にも適用できる。
【実施例５】
【００３５】
本発明の第５実施例に係る凍結防止及び融雪方法を図１１に示す。第５実施例は本発明を木造家屋４０の階段４１やベランダ４８の手すり４９に適用したものである。手すり４９の表面に溝５０が形成され、溝５０に発熱体としてＬＥＤテープ１２が埋設されている。溝５０には透光性のシリコン樹脂５１を充填して固化している。
【実施例６】
【００３６】
本発明の第６実施例に係る凍結防止及び融雪方法を図１２に示す。第６実施例は本発明を木造家屋４０の壁板５２に適用したものであ。壁板５２の表面に溝５３が形成され、溝５３にＬＥＤテープ１２が埋設されている。溝５３には透光性のシリコン樹脂５４を充填して固化している。
【００３７】
なお、第１実施例や第３実施例では発熱体としてＬＥＤテープ１２を使用しているが、これに代えて図１３に示すＬＥＤストリングライト５５を使用してもよい。ＬＥＤストリングライト５５はＬＥＤチップを内蔵する小型電球５６を導線で接続し、導線を熱可塑性の透明な軟質ポリ塩化ビニルから成る被覆材５７で被覆し、被覆材５７の先端にエンドキャップ５８を取り付けて防水性が付与されている。
【符号の説明】
【００３８】
１０…道路
１１，１１Ａ，１１Ｂ…溝
１２…ＬＥＤテープ
１２ａ…ＬＥＤチップ
１２ｂ…基板
１２ｅ…樹脂
１３…樹脂
２０…Ｕ字溝
３０…融雪穴
４２…踏み板
４３…溝
４４…棒材
４５…アルミ板
４６…樹脂
４７…接着剤
４９…手すり
５０…溝
５１…樹脂
５２…壁板
５３…溝
５４…樹脂
５５…ＬＥＤストリングライト
【図１】
2020020199.tif 000003
【図２】
2020020199.tif 000004
【図３】
2020020199.tif 000005
【図４】
2020020199.tif 000006
【図５】
2020020199.tif 000007
【図６】
2020020199.tif 000008
【図７】
2020020199.tif 000009
【図８】
2020020199.tif 000010
【図９】
2020020199.tif 000011
【図１０】
2020020199.tif 000012
【図１１】
2020020199.tif 000013
【図１２】
2020020199.tif 000014
【図１３】
2020020199.tif 000015
【手続補正書】
【提出日】令和1年12月12日(2019.12.12)
【手続補正１】
【補正対象書類名】特許請求の範囲
【補正対象項目名】全文
【補正方法】変更
【補正の内容】
【特許請求の範囲】
【請求項１】
複数個のＬＥＤチップを並べて形成したＬＥＤチップの列を透光性の樹脂で被覆して防水性を付与した発熱体を用い、道路の表面に溝又は凹部を形成し、該溝又は凹部に前記発熱体を埋入し、発熱体の熱を前記表面に熱伝導させることを特徴とする道路の凍結防止及び融雪方法。
【請求項２】
前記発熱体として、ＬＥＤテープ又はＬＥＤストリングライトを使用することを特徴とする請求項１に記載の道路の凍結防止及び融雪方法。
【請求項３】
前記ＬＥＤチップの列を放熱板上に形成し、ＬＥＤチップの列と放熱板を透光性の樹脂で被覆したことを特徴とする請求項１に記載の道路の凍結防止及び融雪方法。
【請求項４】
前記ＬＥＤチップの列を透光性の樹脂で被覆するとともに、被覆した樹脂を棒状に固化したことを特徴とする請求項１に記載の道路の凍結防止及び融雪方法。
【請求項５】
前記発熱体を埋入した前記溝又は凹部に樹脂を充填して固化させ、道路の表面を平坦にしたことを特徴とする請求項１に記載の道路の凍結防止及び融雪方法。
【手続補正２】
【補正対象書類名】明細書
【補正対象項目名】全文
【補正方法】変更
【補正の内容】
【発明の詳細な説明】
【技術分野】
【０００１】
本発明は路面の凍結防止及び融雪方法に関する。
【背景技術】
【０００２】
例えば特開２０１６−６１０４３号公報に開示されているように、寒冷地では路面の凍結防止及び融雪のため、ヒータ電線を道路に埋設している。
【先行技術文献】
【特許文献】
【０００３】
【特許文献１】特開２０１６−６１０４３号公報
【発明の概要】
【発明が解決しようとする課題】
【０００４】
上記した従来の道路の凍結防止及び融雪方法は、発熱源として消費電力の大きいヒータ電線を使用しているので、凍結防止のためランニングコストが嵩む。
また、ヒータ電線を道路に埋設するには道路を掘り返す大掛かりな工事が不可欠であり、施工に時間とコストが掛かるので既存の道路の凍結防止には不向きである。
【０００５】
本発明は上記した問題点に鑑み、消費電力が少なく、施工コストも低い道路の凍結防止及び融雪方法を提供することを目的とする。
【課題を解決するための手段】
【０００６】
請求項１に記載の発明は、道路の凍結防止及び融雪方法であって、
複数個のＬＥＤチップを並べて形成したＬＥＤチップの列を透光性の樹脂で被覆して防水性を付与した発熱体を用い、道路の表面に溝又は凹部を形成し、該溝又は凹部に前記発熱体を埋入し、発熱体の熱を前記表面に熱伝導させることを特徴とする。
【０００７】
請求項２に記載の発明は、請求項１に記載の道路の凍結防止及び融雪方法において、
前記発熱体として、ＬＥＤテープ又はＬＥＤストリングライトを使用することを特徴とする。
【０００８】
請求項３に記載の発明は、請求項１に記載の道路の凍結防止及び融雪方法において、
前記ＬＥＤチップの列を放熱板上に形成し、ＬＥＤチップの列と放熱板を透光性の樹脂で被覆したことを特徴とする。
【０００９】
請求項４に記載の発明は、請求項１に記載の道路の凍結防止及び融雪方法において、
前記ＬＥＤチップの列を透光性の樹脂で被覆するとともに、被覆した樹脂を棒状に固化したことを特徴とする。
【００１０】
請求項５に記載の発明は、請求項１に記載の道路の凍結防止及び融雪方法において、
前記発熱体を埋入した前記溝又は凹部に樹脂を充填して固化させ、道路の表面を平坦にしたことを特徴とする。
【発明の効果】
【００１１】
請求項１に記載の発明によれば、発熱源として消費電力の少ないＬＥＤチップの列を使用するので、低コストで道路の凍結防止及び融雪方法を実施できる。
道路の表面に形成した溝又は凹部にＬＥＤチップの列を埋入するので、表面に出っ張りがない。そのため、通行する人の靴や車両のタイヤで削られることがない。道路表面に細長い溝又は凹部を形成してＬＥＤチップの列を埋入するだけで道路の凍結防止及び融雪方法を実施でき、大掛かりな道路改修を必要としない。そのため、低コストで既存の道路に凍結防止機能をもたせることができる。
【００１２】
さらにまた、溝から漏れ出るＬＥＤチップの列の光で道路が凍結防止中であることを視認できる。
とくに、ＬＥＤチップの列の光を暖色系にすれば、凍結防止効果を見る人に訴えることができる。
また、ＬＥＤチップの列は直流電源で作動するので、漏電や感電のおそれがなく安全性に優れている。
【００１３】
請求項２に記載の発明によれば、店舗や庭園等の電飾に広く用いられ、量産に適したＬＥＤテープ又はＬＥＤストリングライトを発熱源として使用するので、低コストで道路の凍結防止及び融雪方法を実施できる。
【００１４】
請求項３に記載の発明によれば、ＬＥＤチップの列を放熱板の上に形成し、樹脂で被覆するので、ＬＥＤチップの列の発熱をより効果的に道路に熱伝導できる。
【００１５】
請求項４に記載の発明によれば、ＬＥＤチップの列を樹脂で被覆し、固化して棒材に成形するので、溝への埋入作業がし易くなる。
【００１６】
請求項５に記載の発明によれば、溝に樹脂を充填して固化し、道路の表面を平坦にするので、道路の機能が損なわれない。
【図面の簡単な説明】
【００１７】
【図１】本発明の実施例に係る凍結防止及び融雪方法を適用した道路を示す説明図である。
【図２】同凍結防止及び融雪方法に使用したＬＥＤテープを示す説明図である。
【図３】図２の３-３線から切断した断面図である。
【図４】本発明の実施例に係る凍結防止及び融雪方法を適用した他の道路を示す説明図である。
【図５】本発明の実施例に係る凍結防止及び融雪方法を適用した他の道路を示す説明図である。
【図６】本発明に係る道路の凍結防止及び融雪方法の熱源として使用するＬＥＤストリングライトを示す説明図である。
【実施例】
【００１８】
以下に本発明を図面に基づき説明する。図１には本発明の実施例に係る道路の凍結防止及び融雪方法が示されている。この道路１０の表面には適宜間隔で道路を横断する溝１１が形成されている。各溝１１は長方形の断面形状を有し、内部に発熱体としてＬＥＤテープ１２が敷設されている。そして、道路１０の表面を平坦にするため各溝１１に透光性のシリコン樹脂１３を充填して、固化している。
【００１９】
図２及び図３に示すように、ＬＥＤテープ１２は複数個のＬＥＤチップ１２ａを実装したフレキシブルプリント配線基板１２ｂを備えている。複数個のＬＥＤチップ１２ａは、フレキシブルプリント配線基板１２ｂの長手方向に沿って配置され、一列のＬＥＤチップ１２ａの列を形成している。家庭用の交流電源を直流に変換し、各ＬＥＤチップ１２ａに所要の電力を供給し、ＬＥＤチップ１２ａの点灯を制御する電源回路１２ｃが電源コード１２ｄを介してフレキシブルプリント配線基板１２ｂに接続されている。
【００２０】
フレキシブルプリント配線基板１２ｂの表裏両面は、同基板１２ｂに実装されたＬＥＤチップ１２ａを含めて熱可塑性の透明な軟質ポリ塩化ビニル樹脂１２ｅで被覆されている。この樹脂１２ｅは、電源コード１２ｄとフレキシブルプリント配線基板１２ｂとの接続部分、すなわち、電源コード１２ｄの先端部分のビニル絶縁体から露出した電線１２ｆがフレキシブルプリント配線基板１２ｂのプリント配線１２ｇに半田付けされている部分１２ｈも被覆している。
【００２１】
電源コード１２ｄは元来防水性を有し、またフレキシブルプリント配線基板１２ｂとＬＥＤチップ１２ａの列が、同基板１２ｂと電源コード１２ｄとの接続部分を含めて樹脂１２ｅで被覆されているので、ＬＥＤテープ１２は防水性を有する。
【００２２】
本実施例に係る道路の凍結防止及び融雪方法の構成は以上の通りであって、ＬＥＤテープ１２のＬＥＤチップ１２ａの列が点灯に伴って発熱し、その熱が道路１０の表面に熱伝導し、道路１０の表面の凍結が防止され、あるいは融雪される。
しかして、本実施例によれば、発熱体として消費電力の少なく、量産に適したＬＥＤテープ１２を使用するので、低コストで道路の凍結防止及び融雪方法を実施できる。
【００２３】
溝１１にＬＥＤテープ１２を埋設し、シリコン樹脂１３を充填して固化し、道路１０の表面を平坦にしたので、人や車両の通行の妨げにならず、また、通行する人の靴や車両のタイヤで削られるおそれもなく耐久性に優れている。
【００２４】
道路１０の表面に細長い溝１１を形成してＬＥＤテープ１２を埋入するだけで凍結防止及び融雪方法を実施でき、大掛かりな道路１０の改修を必要としない。そのため、低コストで既存の道路１０に凍結防止機能をもたせることができる。
【００２５】
ＬＥＤテープ１２の被覆材１２ｅ及び溝１１に充填したシリコン樹脂１３がいずれも透光性を有するので、溝１１から漏れ出るＬＥＤテープ１２の光で道路１０が凍結防止中であることを視認できる。とくに、ＬＥＤテープ１２の光を暖色系にすれば、凍結防止効果を見る人に訴えることができる。また、ＬＥＤテープ１２は直流電源で作動するので、漏電や感電のおそれがなく安全性に優れている。
【００２６】
図１に示した実施例では、道路１０に断面形状が長方形の溝１１を形成したが、溝１１の断面形状はこれに限定されるものではなく、図４に示すように半円形の溝１１Ａであったり、図５に示す逆三角形の溝１１Ｂであったり、適宜の断面形状を採用できる。
【００２７】
なお、上記実施例では発熱体としてＬＥＤテープ１２を使用しているが、これに代えて図６に示すＬＥＤストリングライト５５を使用してもよい。ＬＥＤストリングライト５５はＬＥＤチップを内蔵する小型電球５６を導線で接続し、導線を熱可塑性の透明な軟質ポリ塩化ビニルから成る被覆材５７で被覆し、被覆材５７の先端にエンドキャップ５８を取り付けて防水性が付与されている。
【符号の説明】
【００２８】
１０…道路
１１，１１Ａ，１１Ｂ…溝
１２…ＬＥＤテープ
１２ａ…ＬＥＤチップ
１２ｂ…基板
１２ｅ…樹脂
１３…樹脂
５５…ＬＥＤストリングライト
【手続補正３】
【補正対象書類名】図面
【補正対象項目名】図６
【補正方法】変更
【補正の内容】
【図６】
2020020199.tif 000016
【手続補正４】
【補正対象書類名】図面
【補正対象項目名】図７
【補正方法】削除
【補正の内容】
【手続補正５】
【補正対象書類名】図面
【補正対象項目名】図８
【補正方法】削除
【補正の内容】
【手続補正６】
【補正対象書類名】図面
【補正対象項目名】図９
【補正方法】削除
【補正の内容】
【手続補正７】
【補正対象書類名】図面
【補正対象項目名】図１０
【補正方法】削除
【補正の内容】
【手続補正８】
【補正対象書類名】図面
【補正対象項目名】図１１
【補正方法】削除
【補正の内容】
【手続補正９】
【補正対象書類名】図面
【補正対象項目名】図１２
【補正方法】削除
【補正の内容】
【手続補正１０】
【補正対象書類名】図面
【補正対象項目名】図１３
【補正方法】削除
【補正の内容】